(57)【要約】【課題】警戒モードの実行指示をしてから、３路スイッチの操作などの特別な作業を必要とせずに、退出経路にあるセンサーの存在に関係なく退出することができる防犯システムを提供する。【解決手段】所定の警戒領域への侵入を検知して、警報を出力する防犯システムであって、扉の開閉や人体の侵入を検知するセキュリティセンサＳＷ１と、このセキュリティセンサＳＷ１へ電源を供給し、セキュリティセンサＳＷ１からの検知信号を受信して、警報を出力するとともに、警戒セットスイッチＳＷ２と、警戒解除スイッチＳＷ３とを有した防犯受信機１とを備え、防犯受信機１には、警戒遅延回路１０を組み込んだ構成にしている。【選択図】図１
2004178103.tif 000002
【特許請求の範囲】
【請求項１】
所定の警戒領域への侵入を検知して、警報を出力する防犯システムであって、扉の開閉や人体の侵入を検知するセキュリティセンサと、
このセキュリティセンサへ電源を供給し、セキュリティセンサからの検知信号を受信して、警報を出力するとともに、警戒セットスイッチと、警戒解除スイッチとを有した防犯受信機とを備え、
上記防犯受信機には、警戒遅延回路を組み込んだ構成にしている防犯システム。
【請求項２】
請求項１において、
上記防犯受信機は、上記警戒遅延回路による警戒遅延時間を設定変更する遅延時間設定変更スイッチを備えている防犯システム。
【請求項３】
請求項２において、
上記遅延時間設定変更スイッチは、ディップスイッチで構成されている防犯システム。
【請求項４】
請求項２において、
上記遅延時間設定変更スイッチは、ダイヤルスイッチで構成されている防犯システム。
【請求項５】
請求項１〜４のいずれかにおいて、
キーボックスを有しており、そのキーボックス内に上記警戒解除スイッチを設けている防犯システム。
【請求項６】
請求項１〜５のいずれかにおいて、
上  記セキュリティセンサが複数設けられ、それぞれが直列に接続されて警戒ループを構成するようにしている防犯システム。
【発明の詳細な説明】
【発明の属する技術分野】
本発明は、所定の警戒領域への侵入を検知して、警報を出力する防犯システムに関する。
【従来の技術】
従来より、下記特許文献のように、所定の警戒領域への不審者の侵入を検知して、警報を出力する防犯システムが広く用いられている。図６は、この種の防犯システムの基本概念図を示している。
このシステムでは、住居人の退出経路にセンサーＡ，Ｂを設置し、これらのセンサーＡ，Ｂを防犯受信機１００に閉ループ接続して構成しており、防犯受信機１００が警戒モードに設定されているときに、センサーＡ，Ｂのいずれかが不審者を検知すれば、そのセンサーＡ，Ｂが閉ループ接続を開路させるので、この変化を防犯受信機１００で判別して警報を出力させるようになっている。
図７は、図６に示したシステムを更に詳細に説明する図であり、図８は防犯受信機の内部構成を示す図、図９はその動作を示すタイムチャートである。なお、図８では、センサーＡ，Ｂのうち、センサーＡ（ＳＷ１）のみについて動作を示すが、実際のシステムでは、センサーＡ，Ｂは、直列ループ接続をなし、防犯受信機１００に接続されている。
防犯受信機１００は、警戒モードの実行開始あるいは解除をさせるため、警戒／解除スイッチＳＷ２を有しており、このスイッチＳＷ２を閉じ操作すれば、ＣＰＵ１１０のＣポートの電圧が「Ｌ」となり、これを受けたＣＰＵ１１０が、Ｂポートの電圧レベルを「Ｈ」とする。
すると、トランジスタＴｒ１のベースに電圧がかかるが、センサーＡが動作し開いていない場合には、フォトカプラＰＣ１が駆動され、ＣＰＵ１１０のＡポートが「Ｌ」レベルとなる。
このような状態が、警戒モードであり、センサーＡ（ＳＷ１）が動作し、その接点を開くと、ＰＣ１はオフとなるので、ＣＰＵ１１０のＡポートが「Ｈ」レベルとなり、その結果、ＣＰＵ１１０はＤポートを「Ｈ」レベルにして警報を出力する。なお、センサーＡ（ＳＷ１）は、出入りを検知したときに動作し、接点を開くが、開いた接点は瞬時に閉じられ、Ｂポートは警報を出力している間は、「Ｈ」の状態を保持し、フォトカプラＰＣ１は駆動を保持している。
一方、警戒モードを解除する場合は、スイッチＳＷ２を再度閉じ操作する。
すると、Ｃポートが「Ｌ」レベルとなるので、ＣＰＵ１１０は、その状態を判別してＢポートの電圧レベルを「Ｌ」レベルにするため、トランジスタＴｒ１のベース電圧が解除され、フォトカプラＰＣ１がオフとなって、ＣＰＵ１１０のＡポートがＨレベルとなる。
このとき、センサーＡが動作して、接点を開いても、フォトカプラＰＣ１はオフになっているので、Ａポートは「Ｈ」レベルを維持するため、ＣＰＵ１１０は警報を出力しない。
ところが、このようなシステムでは、警戒／解除スイッチは、閉じ操作をすればすぐに警戒モードを開始するため、住居人が警戒モードの実行を指示してから警戒エリア外に出るまでに、退出経路にあるセンサーＡ，Ｂが住居人を検知し、防犯受信機１００から警報が出力されてしまう事態が発生する。そこで、このような事態を防止すべく、従来の防犯システムには、図７に示したように、３路スイッチＡ，Ｂが設けられているのが通例である。
このような３路スイッチＡ，Ｂを設けたものでは、住居人が警戒モードを実行させた後、まず、受信機１００に近い３路スイッチＡを操作して、３路スイッチＡ，Ｂの接点をそれぞれａ、ｃ側閉じまたはｂ、ｄ側閉じの状態にする必要があり、このような状態では、センサーＡ，Ｂが開いても、センサーＡ，Ｂの閉ループ接続は維持されるため、警報が出力されず、住居人がセンサーＡ，Ｂの存在に関係なしに退出経路を通って退出できる。しかしながら、退出後においては、警戒モードを有効とさせる必要があるので、住宅外にある３路スイッチＢを操作して、スイッチＡ，Ｂの接点をそれぞれ、ａ，ｄ側閉じまたはｂ，ｃ側閉じの状態にさせる必要があった。
【特許文献】
特開平１１−３３９１３８号公報
【発明が解決しようとする課題】
ところが、このような３路スイッチを用いた防犯システムにあっては、警戒モードに設定した際に、３路スイッチの一方を操作して、センサーの検知を無効とし、退出後に、他方の３路スイッチを操作して、センサーの検知を有効としなければならないため、その操作が面倒であった。
特に、このようなシステムでは、３路スイッチを鍵操作する構成になっているものが存在するが、このようなタイプのものでは、その鍵を持たずに退出しようとしてしまうときがあり、帰宅時において、３路スイッチを操作して入室するために、その鍵を屋外で保持する必要があり、不都合があった。
本発明は、このような事情を考慮して提案されるものであり、警戒モードの実行指示をしてから、３路スイッチなどを設けることなく、退出経路にあるセンサーの存在に関係なく退出することができる防犯システムを提供することを目的とする。
【課題を解決するための手段】
上記目的を達成するために、本発明の請求項１では、所定の警戒領域への侵入を検知して、警報を出力する防犯システムであって、扉の開閉や人体の侵入を検知するセキュリティセンサと、このセキュリティセンサへ電源を供給し、セキュリティセンサからの検知信号を受信して、警報を出力するとともに、警戒セットスイッチと、警戒解除スイッチとを有した防犯受信機とを備え、防犯受信機には、警戒遅延回路を組み込んだ構成にしている。
請求項２では、防犯受信機は、警戒遅延回路による警戒遅延時間を設定変更する遅延時間設定変更スイッチを備えている。
請求項３では、遅延時間設定変更スイッチは、ディップスイッチで構成されている。
請求項４では、遅延時間設定変更スイッチは、ダイヤルスイッチで構成されている。
請求項５では、キーボックスを有しており、そのキーボックス内に警戒解除スイッチを設けている。
請求項６では、セキュリティセンサが複数設けられ、それぞれが直列に接続されて警戒ループを構成するようにしている。
【発明の実施の形態】
以下に、本発明の実施の形態について、図面とともに説明する。図１は、本発明のシステム構成の一例を示す図であり、図２は、その動作を示すタイムチャートである。
防犯受信機１には、センサーＳＷ１が閉ループ接続されているが（センサーＳＷ１の接点は常閉接点になっている）、従来の防犯受信機１００（図８参照）と異なり、警戒スイッチＳＷ２と、警戒解除スイッチＳＷ３とを別に設け、ＣＰＵ１０には警戒遅延回路の機能を組み込み、警戒解除スイッチＳＷ３、遅延時間設定変更スイッチ１１を付加している。
警戒解除スイッチＳＷ３は、防犯上、住居人以外の外部の者にはわかりにくい場所に設置される。
遅延時間設定変更スイッチ１１は、接点ＳＷ４〜６を有しており、ディップスイッチやスライドスイッチなどで構成され、後述する警戒遅延時間を設定あるいは変更する場合に操作される。
図例では、接点ＳＷ４〜ＳＷ６を閉じ操作すれば、ポートＥ、ポートＦ、ポートＧの電圧レベルが「Ｈ」から「Ｌ」レベルに変化するので、ＣＰＵ１０で構成した警戒遅延回路は、これらの電圧レベルの組み合わせ状態に基づいて設定された警戒遅延時間が判断されるようになっている。
このような構成によれば、警戒スイッチＳＷ２を閉じ操作して、警戒モードの設定指示を行えば、ＣＰＵ１０のポートＣの電圧が「Ｈ」から「Ｌ」に変化するので、これを受けたＣＰＵ１０が、設定された警戒遅延時間を判断して、この時間を経過したときに、ポートＢの電圧レベルを「Ｌ」から「Ｈ」に変化させる。
ここに、ＣＰＵ１０による警戒遅延時間の判断は、予め登録されたプログラムに基づいた、いわゆるソフト的処理により行っており、例えば、接点ＳＷ４〜ＳＷ６の操作によってポートＥ〜Ｆの電圧レベルの組み合わせに対して、遅延時間を対応付けてメモリに登録しておき、警戒モードの設定指示があれば、ＣＰＵ１０がこのメモリ内容を参照して、設定された遅延時間に応じた遅延動作を可能とする。
このようなシステムによれば、警戒スイッチＳＷ２を閉じ操作しても、直ぐにはＣＰＵ１０のポートＢが「Ｈ」レベルとはならず、設定した遅延時間の経過後に「Ｈ」レベルとなって、トランジスタＴｒ１のベースに電圧が加わり、警戒モードとなるので、センサーＳＷ１が動作して、接点を開けば、フォトカプラＰＣ１がオンとなり、このとき、ＣＰＵ１１０のポートＡが「Ｌ」レベルとなる。したがって、フォトカプラＰＣ１がオンになっている間に、センサー
ＳＷ１が動作し、接点を開くと、その間は、フォトカプラＰＣ１がオフとなり、ポートＡが「Ｈ」レベルとなるので、ＣＰＵ１０はポートＤより警報信号を出力する。
一方、警戒解除スイッチＳＷ３を操作すると、ＣＰＵ１０のポートＨの電圧レベルが「Ｌ」となり、ポートＢが「Ｌ」レベルになるため、トランジスタＴｒ１のベース電圧が解除され、それによって、フォトカプラＰＣ１がオフして、ＣＰＵ１１０のＡポートが「Ｈ」レベルに戻り、警報信号が停止し、警戒が解除される。
以上の実施例では警戒遅延回路を、抵抗値の異なる外付け抵抗の切換制御する例を示しているが、外付け抵抗の代わりにコンデンサを切換接続するもの、可変抵抗や可変コンデンサを可変設定する構成にしてもよい。
図３は、防犯受信機１の警戒解除スイッチＳＷ３の設置例を示す図である。
ここでは、住宅の玄関ドアＤ（屋外側）近辺に、キーボックスＢを設置しており、そのキーボックスＢの内部に警戒解除スイッチＳＷ３を設けている。
キーボックスＢには、鍵穴Ｋを設けており、この鍵穴Ｋに適合する鍵を差し込んで回さなければ、キーボックスＢが開かないようにしており、警戒解除操作をする際には、必ず鍵を用いてキーボックスＢを開け、内部の警戒解除スイッチＳＷ３を操作するようにしている。
図４は、本発明のシステム構成の他例を示す図である。このものは、警戒領域が複数ある場合に有益であり、センサーを複数設けており、これらのセンサーＳＷ１（＃１，２）は直列に閉ループ接続されている。このような構成によれば、いずれかのセンサーＳＷ１が開けば、閉ループ接続が解除されるので、警報が出力される。その他の特徴については、先述した図１のシステムと同様であるので、説明を省略する。
図５は、図４に示すシステム構成の基本概念図を示しており、防犯受信機１には、端子Ｓ１，Ｓ２に扉センサーとしてのセンサーＳＷ１（＃１）を、端子Ｓ３，Ｓ４には人体検知センサーとしてのセンサーＳＷ１（＃２）を、端子Ｓ５，Ｓ６には窓センサーとしてのセンサーＳＷ１（＃３）を接続している。
扉センサーとしてのセンサーＳＷ１（＃１）や、窓センサーとしてのセンサーＳＷ１（＃３）は、例えば、マグネットスイッチをもって構成されており、扉や窓の開状態を検知する。
また、人体検知センサーとしてのセンサーＳＷ１（＃２）は、例えば、超音波センサー、赤外線センサー、光電式センサーをもって構成されており、不審者の存在を検知する。
なお、センサーＳＷ１は、これらのセンサーには限定されず、接点開閉式のセンサーであれば何を使用してもよい。
【発明の効果】
以上の説明からも理解できるように、本発明の請求項１では、防犯受信機は、警戒セット操作があっても、一定の遅延時間が経過しないと、警戒モードとならないので、警戒モードの実行指示をしてから、特別な作業を何ら必要とせずに、退出経路にあるセンサーの存在に関係なく退出することができ、利便である。
請求項２では、防犯受信機は、警戒遅延回路による警戒遅延時間を設定変更する遅延時間設定変更スイッチを備えているので、住居人の事情に応じて、任意に遅延時間を設定でき、利便である。
このような遅延時間変更スイッチは、請求項３ではディップスイッチで構成されるので、遅延時間変更スイッチを安価に、かつ、簡易に設けることができる。
また、請求項４ではダイヤルスイッチで構成されるので、遅延時間を連続的に変化させることができ、利便である。
請求項５では、キーボックス内に警戒解除スイッチを設けているので、住居人以外の外部の者が警戒解除スイッチを勝手に操作して、警戒解除されてしまうことがなく、防犯上有益である。
請求項６では、セキュリティセンサが複数設けられ、それぞれが直列に接続されて警戒ループを構成するようにしているので、全センサーの状態監視を１つの回路で行える。そのため、センサーの監視回路を安価に、かつ、簡易に設けることができる。
【図面の簡単な説明】
【図１】本発明のシステム構成の一例を示すブロック図である。
【図２】本発明の動作について説明するためのタイムチャートである。
【図３】警戒解除スイッチの設置例を示す図である。
【図４】本発明のシステム構成の他例を示す図である。
【図５】図４のシステム構成の基本概念図を示す図である。
【図６】従来の防犯システムの基本概念図である。
【図７】図６に示す防犯システムのシステム構成図である。
【図８】従来の防犯システムで使用されている防犯受信機の内部構成図である。
【図９】従来の防犯システムの動作を示すタイムチャートである。
【符号の説明】
１・・・防犯受信機
１０・・・ＣＰＵ
１１・・・遅延時間設定変更スイッチ
ＳＷ１・・・セキュリティセンサー
ＳＷ２・・・警戒セットスイッチ
ＳＷ３・・・警戒解除スイッチ
Ｂ・・・キーボックス
【図１】
2004178103.tif 000003
【図２】
2004178103.tif 000004
【図３】
2004178103.tif 000005
【図４】
2004178103.tif 000006
【図５】
2004178103.tif 000007
【図６】
2004178103.tif 000008
【図７】
2004178103.tif 000009
【図８】
2004178103.tif 000010
【図９】
2004178103.tif 000011